(57)【要約】      （修正有）【課題】リーケージ特性が安定なコイル装置を提供すること。【解決手段】ボビン２０と、当該ボビン２０の外周に装着してあるコイルとを有するトランスである。コイルから引き出される少なくとも一対の第１リード部３７ａ、３７ｂは、コイルの巻回軸方向に延びる立上部３７１ａ、３７１ｂと、一対の立上部３７１ａ、３７１ｂの間の距離よりも狭い距離を保ちながら、コイルから遠ざかる方向に延びる一対の引出本体部３７３ａ、３７３ｂとを有する。立上部３７１ａ、３７１ｂと引出本体部３７３ａ、３７３ｂとの間は、方向変化部３７２ａ、３７２ｂにより連絡しており、立上部３７１ａ、３７１ｂの向く方向を引出本体部３７３ａ、３７３ｂの向く方向へと方向を変化させている。【選択図】図７Ｂ
2018101749.tif 000002
【特許請求の範囲】
【請求項１】
ボビンと、前記ボビンの外周に装着してあるコイルとを有するコイル装置であって、
前記コイルから引き出され、第１ワイヤの両端で構成される一対の第１リード部は、
前記コイルの巻回軸方向に延びる一対の第１立上部と、
一対の前記第１立上部の間の距離よりも狭い距離を保ちながら、前記コイルから遠ざかる方向に延びる一対の第１引出本体部と、
前記第１立上部と前記第１引出本体部との間を連絡して、前記第１立上部の向く方向を前記第１引出本体部の向く方向へと方向を変化させる一対の第１方向変化部と、
を有することを特徴とするコイル装置。
【請求項２】
前記ボビンには、第１端子台が形成してあり、前記第１端子台には、前記第１立上部で立ち上げられた前記第１リード部が、前記第１方向変化部の位置で外側から内側に巻き付いて前記第１引出本体部の方向に導く一対の第１係止部が形成してある請求項１に記載のコイル装置。
【請求項３】
前記第１端子台には、一対の前記第１係止部の間に位置して、前記第１方向変化部から前記第１引出本体部へと向かう一対の前記第１リード部を案内し、一対の前記第１引出本体部の間に所定の隙間を形成するための分離凸部が形成してある請求項２に記載のコイル装置。
【請求項４】
前記第１ワイヤとは異なる第２ワイヤの両端で構成され、前記コイルから引き出される一対の第２リード部をさらに有し、
一対の前記第２リード部は、
前記コイルの巻回軸方向に延びる一対の第２立上部と、
一対の前記第２立上部の間の距離よりも広い距離を保ちながら、前記コイルから遠ざかる方向に延びる一対の第２引出本体部と、
前記第２立上部と前記第２引出本体部との間を連絡して、前記第２立上部の向く方向を前記第２引出本体部の向く方向へと方向を変化させる一対の第２方向変化部と、を有する請求項１〜３のいずれかに記載のコイル装置。
【請求項５】
前記ボビンには、第２端子台が形成してあり、前記第２端子台には、前記第２立上部で立ち上げられた前記第２リード部が、前記第２方向変化部の位置で内側から外側に巻き付いて前記第２引出本体部の方向に導く一対の第２係止部が形成してある請求項４に記載のコイル装置。
【請求項６】
前記第１立上部の立上げ方向と、前記第２立上部の立上げ方向とが同じ方向であり、
前記第２端子台は、前記ボビンに形成してある第１端子台に対して、前記コイルの巻回軸の同じ側に位置する請求項５に記載のコイル装置。
【請求項７】
前記コイルの一部を構成する前記第２ワイヤが前記ボビンに巻回されている部分と、前記第１立上部との間の絶縁を確保するために、前記第１立上部の内側で前記ボビンの外周には、絶縁カバーが装着してある請求項４〜６のいずれかに記載のコイル装置。
【請求項８】
前記コイルは、前記コイルの巻回軸に沿って、第１コイル部と、第２コイル部と、これらの第１コイル部と第２コイル部との間に位置する中間コイル部とを有し、
前記中間コイル部は前記第１ワイヤで構成してあり、
前記第１コイル部および前記第２コイル部は、前記第１コイル部と前記第２コイル部とを連続して形成するための前記第２ワイヤで構成してあることを特徴とする請求項４〜７のいずれかに記載のコイル装置。
【請求項９】
前記第１ワイヤは、一次コイルまたは二次コイルの内のいずれか一方を構成し、前記第２ワイヤは、一次コイルまたは二次コイルの内のいずれか他方を構成することを特徴とする請求項４〜８のいずれかに記載のコイル装置。
【請求項１０】
前記ボビンに巻回してある前記第１ワイヤの巻数が、前記ボビンに巻回してある前記第２ワイヤの巻き数よりも小さい請求項４〜９のいずれかに記載のコイル装置。
【発明の詳細な説明】
【技術分野】
【０００１】
本発明は、たとえばリーケージトランスなどのトランスとして好適に利用可能なコイル装置に関する。
【背景技術】
【０００２】
コイル装置は、様々の電気製品に、様々な用途で用いられている。たとえば、ＥＶ（Electric Vehicle：電動輸送機器）、ＰＨＶ（Plug-in Hybrid Vehicle：プラグインハイブリッド自動車）あるいはコミュータ（車両）用の車載用充電器、あるいはＬＬＣ回路などにおいて、コイル装置が用いられ、リーケージトランスなどのトランスとして一般に用いられている。
【０００３】
コイル装置としては、たとえば下記に示す特許文献１に示すコイル装置が知られている。特許文献１に示すコイル装置では、リーケージ特性の調整が容易であり、大電流化を図りながら高周波化に対応できる。
【０００４】
特許文献１などに示す従来のコイル装置では、コイルを構成するワイヤの両端に対応する一対のリード部が、コイルに近い位置では近接しており、コイルから離れる方向に引き出す際には、リード部同士を引き離すように端子に接続することが一般的である。しかしながら、このような一般的なリード部の引出構造では、リーケージ特性が安定しないことが判明した。特に近年では、コイル装置に印加される電圧の高周波化に伴い、高周波帯におけるリーケージ特性の安定が課題となっている。
【先行技術文献】
【特許文献】
【０００５】
【特許文献１】特開２０１３−２５４８９０号公報
【発明の概要】
【発明が解決しようとする課題】
【０００６】
本発明は、このような実状に鑑みてなされ、その目的は、リーケージ特性が安定なコイル装置を提供することである。
【課題を解決するための手段】
【０００７】
上記目的を達成するために、本発明に係るコイル装置は、
ボビンと、前記ボビンの外周に装着してあるコイルとを有するコイル装置であって、
前記コイルから引き出され、第１ワイヤの両端で構成される一対の第１リード部は、
前記コイルの巻回軸方向に延びる一対の第１立上部と、
一対の前記第１立上部の間の距離よりも狭い距離を保ちながら、前記コイルから遠ざかる方向に延びる一対の第１引出本体部と、
前記第１立上部と前記第１引出本体部との間を連絡して、前記第１立上部の向く方向を前記第１引出本体部の向く方向へと方向を変化させる一対の第１方向変化部と、
を有することを特徴とする。
【０００８】
本発明に係るコイル装置では、一対の第１リード部は、第１立上部で巻回軸に沿ってコイルから引き出された後、第１方向変化部で一対の第１リード部同士の間隔が狭まる方向に曲げられ、その後に、第１引出本体部でコイルから遠ざけられる。すなわち、本発明に係るコイル装置では、一対の第１引出本体部の隙間間隔は、一対の第１立上部の隙間間隔よりも狭くなる。そのため、一対の第１リード部は、離間した状態でコイルから引き出され、巻回軸に沿って立ち上がった後で近接することになる。本発明者等は、このような引出構造とすることで、従来のコイル装置に比べて、リーケージ特性が安定したコイル装置を実現することができることを見出した。
【０００９】
本発明者等の実験によれば、リーケージ特性は、一対の引出本体部の間隔に応じて変化するが明らかになった。そこで、一対の引出本体部同士の間隔を、リーケージ特性が良好となるように調整することにより、リーケージ特性を最適化することができる。
【００１０】
好ましくは、前記ボビンには、第１端子台が形成してあり、前記第１端子台には、前記第１立上部で立ち上げられた前記第１リード部が、前記第１方向変化部の位置で外側から内側に巻き付いて前記第１引出本体部の方向に導く一対の第１係止部が形成してある。このように構成することにより、各第１リード部が係止部に弛みなく係止され、第１リード部に連続してボビンに巻回してある第１ワイヤにより形成されるコイル部の巻き解しが防止される。
【００１１】
好ましくは、前記第１端子台には、一対の前記第１係止部の間に位置して、前記第１方向変化部から前記第１引出本体部へと向かう一対の前記第１リード部を案内し、一対の前記第１引出本体部の間に所定の隙間を形成するための分離凸部が形成してある。分離凸部があることで、一対の第１リード部は、分離凸部と第１係止部との間に挟まれて固定され、一対の第１引出本体部を小さな隙間間隔でコイルから遠ざかる方向に引き出すことが容易になる。
【００１２】
好ましくは、コイル装置は、前記第１ワイヤとは異なる第２ワイヤの両端で構成され、前記コイルから引き出される一対の第２リード部をさらに有する。
【００１３】
一対の前記第２リード部は、
前記コイルの巻回軸方向に延びる一対の第２立上部と、
一対の前記第２立上部の間の距離よりも広い距離を保ちながら、前記コイルから遠ざかる方向に延びる一対の第２引出本体部と、
前記第２立上部と前記第２引出本体部との間を連絡して、前記第２立上部の向く方向を前記第２引出本体部の向く方向へと方向を変化させる一対の第２方向変化部と、を有していてもよい。
【００１４】
一対の第２リード部は、一対の第１リード部と同様に、第２立上部の間の距離よりも狭い距離を保ちながら、コイルから遠ざかる方向に第２引出本体部として延びていてもよいが、第２リード部に印加される電圧が高い場合などには、その逆でもよい。すなわち、一対の第２リード部は、第２立上部の間の距離よりも広い距離を保ちながら、コイルから遠ざかる方向に第２引出本体部として延びていてもよい。
【００１５】
好ましくは、前記ボビンには、第２端子台が形成してあり、前記第２端子台には、前記第２立上部で立ち上げられた前記第２リード部が、前記第２方向変化部の位置で内側から外側に巻き付いて前記第２引出本体部の方向に導く一対の第２係止部が形成してある。このように構成することにより、各第２リード部が係止部に弛みなく係止され、第２リード部に連続する第２ワイヤにより形成されるコイル部の巻き解しが防止される。
【００１６】
好ましくは、前記第１立上部の立上げ方向と、前記第２立上部の立上げ方向とが同じ方向であり、前記第２端子台は、前記ボビンに形成してある第１端子台に対して、前記コイルの巻回軸の同じ側に位置する。このように構成することで、第１端子台および第２端子台と巻回軸に沿って反対側に位置する前記ボビンの底面を冷却側に位置させることが容易になり、コイルおよびボビンの冷却効率が向上する。
【００１７】
好ましくは、前記コイルの一部を構成する前記第２ワイヤが前記ボビンに巻回されている部分と、前記第１立上部との間の絶縁を確保するために、前記第１立上部の内側で前記ボビンの外周には、絶縁カバーが装着してある。このように構成することで、たとえば第１ワイヤで構成されるコイル部と、第２ワイヤで構成されるコイル部との間の絶縁が良好に保たれる。
【００１８】
好ましくは、前記コイルは、前記コイルの巻回軸に沿って、第１コイル部と、第２コイル部と、これらの第１コイル部と第２コイル部との間に位置する中間コイル部とを有し、
前記中間コイル部は前記第１ワイヤで構成してあり、
前記第１コイル部および前記第２コイル部は、前記第１コイル部と前記第２コイル部とを連続して形成するための前記第２ワイヤで構成してある。
【００１９】
中間コイル部を、第１コイル部と第２コイル部とで挟む構造とすることで、これらのコイル部間の結合を高くすることができ、リーケージ特性の安定化を図ることが容易となる。また、高周波帯においても、安定したリーケージ特性を得ることができる。
【００２０】
前記第１ワイヤは、一次コイルまたは二次コイルの内のいずれか一方を構成し、前記第２ワイヤは、一次コイルまたは二次コイルの内のいずれか他方を構成してもよい。
【００２１】
好ましくは、前記ボビンに巻回してある前記第１ワイヤの巻数が、前記ボビンに巻回してある前記第２ワイヤの巻き数よりも小さい。巻き数が小さい第１ワイヤの両端に位置する一対の第１リード部を、本発明の構成とすることで、本発明の作用効果が大きくなる。
【図面の簡単な説明】
【００２２】
【図１】図１は本発明の一実施形態に係るコイル装置としてのトランスの斜視図である。
【図２】図２は図１に示すトランスの分解斜視図である。
【図３】図３は図１に示すトランスからケースを取り外したときの斜視図である。
【図４】図４は図３に示すトランスからコアを取り外したときの斜視図である。
【図５】図５は図１に示すV−V線に沿うトランスの要部断面図である。
【図６Ａ】図６Ａは図１に示すVI−VI線に沿うトランスの要部断面図である。
【図６Ｂ】図６Ｂは図１に示すVI−VI線に沿うボビンの要部断面図である。
【図７Ａ】図７Ａは図１に示すトランスにおけるボビン等の斜視図である。
【図７Ｂ】図７Ｂは図７Ａに示すボビン等を別角度から見たときの斜視図である。
【図７Ｃ】図７Ｃは図６Ａに示す絶縁カバー等の斜視図である。
【図７Ｄ】図７Ｄは図６Ａに示す他の絶縁カバーの斜視図である。
【図８Ａ】図８Ａは図７Ａに示すボビンに巻回される共通ワイヤおよび中間ワイヤの一例を示す斜視図である。
【図８Ｂ】図８Ｂは図８Ａに示す共通ワイヤおよび中間ワイヤと図７Ｃおよび図７Ｄに示す絶縁カバーの位置関係を示す斜視図である。
【図８Ｃ】図８Ｃは図８Ｂに示す共通ワイヤ等を別の角度から見たときの斜視図である。
【図９】図９は図８Ａに示す共通ワイヤおよび中間ワイヤの側面図である。
【図１０】図１０は図８Ａに示す共通ワイヤおよび中間ワイヤの分解斜視図である。
【図１１】図１１は図１に示すトランスの等価回路を示す回路図である。
【発明を実施するための形態】
【００２３】
以下、本発明を、図面に示す実施形態に基づき説明する。
【００２４】
図１に示す本実施形態に係るコイル装置としてのトランス１０は、たとえばＥＶ（Electric Vehicle：電動輸送機器）、ＰＨＶ（Plug-in Hybrid Vehicle：プラグインハイブリッド自動車）、あるいはコミュータ（車両）用の車載用充電器などに用いられ、たとえばＬＬＣ回路の一部を構成するために用いられる。
【００２５】
図２に示すように、このトランス１０は、ボビン２０と、磁性コア４０ａおよび４０ｂと、カバー５０と、引出ワイヤカバー６０と、台座７０と、これらを内部に収容するケース９０と、底板９２とを有する。なお、図面において、Ｘ軸、Ｙ軸およびＺ軸は、相互に垂直であり、Ｚ軸は、トランス１０の高さ（厚み）に対応する。本実施形態では、トランス１０のＺ軸方向の下方が、トランスの設置面となる。また、Ｙ軸は、磁性コア４０ａ，４０ｂにおけるベース部４４ａ，４４ｂの長手方向に一致する。さらに、Ｘ軸は、ボビン２０の長手方向に一致するようになっている。
【００２６】
本実施形態では、底板９２がケース９０の底部開口部に、カシメや接着などの手段で取り付けられて、上部が開放してあるケース９０が構成される。底板９２は、放熱性に優れたアルミニウム銅、鉄などの金属で構成してあることが好ましいが、ＰＰＳ、ＰＥＴ、ＰＢＴなどで構成しても良い。底板９２には、後述する磁性コア４０のＺ軸方向の下端面が接触することから、底板９２は、放熱性に優れた材質で構成されることが好ましい。ケース９０の下方には、底板９２を介して、あるいは、直接に冷却パイプ、冷却フィンなどの冷却装置を装着しても良い。
【００２７】
ケース９０の四隅におけるＺ軸方向の中間部付近には、ボス部９１が形成してある。ボス部９１には、たとえばボルト孔が形成してある。ケース９０自体は、金属で構成されるが、合成樹脂などで構成されてもよい。なお、底板９２とケース９０とをアルミニウムのダイキャスト成形などにより一体成形しても良い。ケース全体を金属で構成することにより、放熱性がさらに高められる。
【００２８】
ケース９０の内部には、放熱用樹脂が充填してあってもよい。放熱用樹脂としては、特に限定されないが、たとえば熱伝導率が０．５〜５、好ましくは１〜３Ｗ／ｍ・Ｋである放熱性に優れた樹脂が好ましい。放熱性に優れた樹脂としては、たとえばシリコーン系樹脂、ウレタン系樹脂、エポキシ系樹脂などがあるが、中でも、シリコーン樹脂、ウレタン樹脂が好ましい。また、放熱性を高めるために、樹脂中には、熱伝導性の高いフィラーを充填させても良い。
【００２９】
また、本実施形態の放熱用樹脂は、ショアＡ硬度が１００以下、好ましくは６０以下であることが好ましい。磁性コア４０ａ，４０ｂやボビン２０が熱により変形したとしても、その変形を吸収し、磁性コア４０ａ，４０ｂに過大な応力を発生させないようにするためである。このような樹脂としては、ポッティング樹脂が例示される。
【００３０】
図５および図６Ａに示すように、ボビン２０のボビン本体２１回りに巻回してあるコイル３００は、コイル３００の巻回軸（Ｚ軸と略平行）に沿って、第１コイル部３０１と、第２コイル部３０２と、これらの第１コイル部３０１と第２コイル部３０２との間に位置する中間コイル部３０３とを有する。すなわち、本実施形態では、コイル３００の巻回軸（Ｚ軸方向）に沿って、中間コイル部３０３が第１コイル部３０１と第２コイル部３０２とで挟まれている。
【００３１】
中間コイル部３０３は、中間ワイヤ（第１ワイヤ）３７で構成してあり、第１コイル部３０１および第２コイル部３０２は、第１コイル部３０１と第２コイル部３０２とを形成するための共通ワイヤ（第２ワイヤ）３８で構成してある。
【００３２】
本実施形態では、共通ワイヤ３８は一次コイルを構成し、中間ワイヤ３７は二次コイルを構成する。すなわち、図１１に示すように、共通ワイヤ３８で構成される第１コイル部３０１および第２コイル部３０２が１次側巻線、中間ワイヤ３７で構成される中間コイル部３０３が二次側巻線となることにより、両者間でトランスが形成される。
【００３３】
本実施形態では、一次コイルには、二次コイルに比較して高電圧が作用し、二次コイルには比較的に低電圧が作用する。ここで、図１１に示すＬａは漏れインダクタンスである。
【００３４】
ワイヤ３７，３８は、それぞれ単線で構成されてもよく、あるいはそれぞれ撚り線で構成されてもよく、あるいは一方が単線で他方が撚り線であってもよい。各ワイヤ３７，３８は、同じ材質で構成されていても異なっていても良い。ワイヤ３７，３８の外径は、特に限定されないが、好ましくは１．０〜４．０ｍｍの範囲である。本実施形態では、二次コイルに流れる電流が大きくなるために、中間ワイヤ３７の外径が、共通ワイヤ３８の外径よりも大きく、たとえば３．０〜４．０ｍｍが好ましい。また、各ワイヤ３７，３８には、絶縁被膜が形成してあることが好ましい。
【００３５】
図１に示す第１リード部３７ａ，３７ｂは、図５および図６Ａに示す中間ワイヤ３７の両端部であり、図１に示す第２リード部３８ａ，３８ｂは、図５および図６Ａに示す共通ワイヤ３８の両端部である。図１に示すように、第１リード部３７ａ，３７ｂおよび第２リード部３８ａ，３８ｂの各端部には、たとえば金属端子で構成された端子９４がハンダ付けなどで接続され、それぞれのワイヤ３７および３８の両端が端子９４に電気的に接続してある。
【００３６】
本実施形態では、中間コイル部３０３を構成する中間ワイヤ３７の巻数をｎ２とした場合に、第１コイル部３０１および第２コイル部３０２における共通ワイヤ３８の合計巻数ｎ１は、好ましくは巻き数ｎ２の２倍以上、３倍以上でもよく、５倍以上、６倍以上でもよい。本実施形態では、これらの巻き数の比率（ｎ１／ｎ２）が大きい場合でも、結合係数を比較的に大きくすることが可能であり、リーケージ特性の安定化に寄与する。
【００３７】
第１コイル部３０１および第２コイル部３０２における共通ワイヤ３８の合計巻数ｎ１は、第１コイル部３０１および第２コイル部３０２に略均等に分けられることが好ましいが、多少異なっていても良い。すなわち、第１コイル部３０１における共通ワイヤ３８の巻き数は、（０．３〜０．７）×ｎ１であることが好ましく、第２コイル部３０２における共通ワイヤ３８の巻き数は、（０．７〜０．３）×ｎ１であることが好ましい。一次コイルと二次コイルとの結合係数を向上させるためである。
【００３８】
図９に示すように、共通ワイヤ３８は、第１コイル部３０１と第２コイル部３０２との間を巻回軸（Ｚ軸）方向に延びるコイル間接続部３８０を有する。本実施形態では、第１コイル部３０１と第２コイル部３０２とが共通ワイヤ３８で連続して形成してあるため、共通ワイヤ３８には、第１コイル部３０１と第２コイル部３０２の間を巻回軸方向に延びるコイル間接続部３８０が形成されることになる。
【００３９】
図６Ａおよび図９に示すように、コイル間接続部３８０は、中間コイル部３０３の内側を通過している。詳細については後述するが、本実施形態では、最初に共通ワイヤ３８をボビン２０に巻回して、第１コイル部３０１および第２コイル部３０２を構成し、次いで中間ワイヤ３７をボビン２０に巻回して、中間コイル部３０３を構成している。
【００４０】
このような態様でコイル３００をボビン２０に装着した場合、コイル間接続部３８０は、中間コイル部３０３の内側を通過することになる。この場合、図６Ａに示すように、コイル間接続部３８０を中間コイル部３０３から絶縁するために、第１絶縁カバー８１が、ボビン２０に装着してある。第１絶縁カバー８１については、後で詳細に説明する。
【００４１】
図６Ａに示すように、第１コイル部３０１および第２コイル部３０２からは一対の第２リード部３８ａ，３８ｂが引き出されている。また、中間コイル部３０３からは一対の第１リード部３７ａ，３７ｂが引き出されている。
【００４２】
より詳細には、図８Ａに示すように、中間ワイヤ３７の両端に形成してある第１リード部３７ａ，３７ｂは、コイル３００の巻回軸（Ｚ軸）方向に延びる第１立上部３７１ａ，３７１ｂと、一対の第１リード部３７ａ，３７ｂ同士の間隔が狭まる方向に向かう第１方向変化部３７２ａ，３７２ｂと、コイル３００から遠ざかる方向（Ｘ軸）に延びる第１引出本体部３７３ａ，３７３ｂとを有する。
【００４３】
なお、第１立上部３７１ａ，３７１ｂは、Ｚ軸に対して必ずしも平行ではなく傾斜していてもよい。また、第１引出本体部３７３ａ，３７３ｂもＸ軸に対して必ずしも平行ではなく、Ｙ軸および／またはＺ軸方向に傾斜していてもよい。また、第１方向変化部３７２ａ，３７２ｂは、第１立上部３７１ａ，３７１ｂの向かう方向を第１引出本体部３７３ａ，３７３ｂの向かう方向に変換する部分であり、直線状でも曲線状でもよい。
【００４４】
本実施形態では、第１引出本体部３７３ａ，３７３ｂ同士の間隔が、第１立上部３７１ａ，３７１ｂ同士の隙間間隔よりも狭くなるように構成されている。より詳細には、第１引出本体部３７３ａ，３７３ｂ同士の隙間間隔Ｗ１は、好ましくは０〜１ｍｍである。また、第１引出本体部３７３ａ，３７３ｂのＸ軸方向の長さＬ１は、好ましくは２０〜１００ｍｍである。隙間間隔Ｗ１を小さくするほど、二次側コイルのリーケージを小さくすることができる。また、第１引出本体部３７３ａ，３７３ｂのＸ軸方向の長さＬ１は、長くなるほどリーケージが大きくなる傾向にあるために、必要最小限が好ましい。
【００４５】
また、図８Ａに示すように、共通ワイヤ３８の両端に形成してある第２リード部３８ａ，３８ｂは、コイル３００の巻回軸（Ｚ軸）方向に延びる第２立上部３８１ａ，３８１ｂと、一対の第２リード部３８ａ，３８ｂ同士の間隔が広がる方向に向かう第２方向変化部３８２ａ，３８２ｂと、コイル３００から遠ざかる方向（Ｙ軸）に延びる第２引出本体部３８３ａ，３８３ｂとを有する。
【００４６】
なお、第２立上部３８１ａ，３８１ｂは、Ｚ軸に対して必ずしも平行ではなく傾斜していてもよい。また、第２引出本体部３８３ａ，３８３ｂもＸ軸に対して必ずしも平行ではなく、Ｙ軸および／またはＺ軸方向に傾斜していてもよい。また、第２方向変化部３８２ａ，３８２ｂは、第１方向変化部３７２ａ，３７２ｂと同様であり、直線状でも曲線状でもよい。
【００４７】
本実施形態では、第２引出本体部３８３ａ，３８３ｂ同士の間隔が、第２立上部３８１ａ，３８１ｂ同士の隙間間隔よりも広くなるように構成されている。より詳細には、第２引出本体部３８３ａ，３８３ｂ同士の隙間間隔Ｗ２は、引出本体部３７３ａ，３７３ｂ同士の隙間間隔Ｗ１よりも広く、好ましくは１〜５ｍｍである。また、第２引出本体部３８３ａ，３８３ｂのＸ軸方向の長さＬ２は、第１引出本体部３７３ａ，３７３ｂのＸ軸方向の長さＬ１と略同等である。
【００４８】
なお、本実施形態では、第１引出本体部３７３ａ，３７３ｂ同士の間隔、および第２引出本体部３８３ａ，３８３ｂ同士の間隔が、その長手方向各部において一定となっているが、異なっていてもよい。すなわち、第１引出本体部３７３ａ，３７３ｂあるいは第２引出本体部３８３ａ，３８３ｂは、必ずしも平行に延びていなくてもよい。ただし、トランス１０のリーケージ特性を良好にする観点では、第１引出本体部３７３ａ，３７３ｂ同士の隙間間隔Ｗ１を小さくし、隙間間隔Ｗ１が長手方向に沿って一定であることが好ましい。
【００４９】
図７Ａに示すように、ボビン２０は、ボビン本体２１と、ボビン本体２１のＸ軸方向の両端上部に一体に成形してある第１端子台２２および第２端子台２３とを有する。ボビン２０は、たとえばＰＰＳ、ＰＥＴ、ＰＢＴ、ＬＣＰ、ナイロンなどのプラスチックで構成してあるが、その他の絶縁部材で構成されても良い。ただし、本実施形態では、ボビン２０としては、たとえば１Ｗ／ｍ・Ｋ以上に熱伝導率が高いプラスチックで構成することが好ましく、たとえばＰＰＳ、ナイロンなどで構成してある。
【００５０】
端子台２２，２３は、側壁部２２１，２３１と、それぞれＸ軸方向の両端に形成してある一対の第１および第２係止部２２２，２３２と、を有する。側壁部２２１，２３１は、第１リード部３７ａ，３７ｂおよび第２リード部３８ａ，３８ｂが引き出される側を除き、端子台２２，２３の周縁を包囲するように形成してある。側壁部２２１，２３１のＹ軸方向の両外端壁には、係合突起部２２４および２３４がそれぞれ形成してある。係合突起部２２４，２３４の機能について後述する。第１端子台２２では、一対の第１係止部２２２のＹ軸方向の中間位置に分離凸部２２３が形成してある。
【００５１】
図７Ｂに示すように、一対の第１係止部２２２には、第１立上部３７１ａ，３７１ｂでＺ軸方向に立ち上げられた第１リード部３７ａ，３７ｂが、第１方向変化部３７２ａ，３７２ｂの部分でＹ軸方向の外側から内側に巻き付けられ、第１引出本体部３７３ａ，３７３ｂとして相互間の隙間が小さくなった状態でＸ軸方向の外側に案内される。
【００５２】
分離凸部２２３は、Ｚ軸から見て、略五角形の形状を持ち、Ｘ軸方向にボビン２０から離れる方向に向けて先細になる先端部を有する。分離凸部２２３は、第１方向変化部３７２ａ，３７２ｂ同士、または第１引出本体部３７３ａ，３７３ｂ同士が接触しないように分離するための部材である。なお、分離凸部２２３の形状は図示の形状に限定されるものではなく、楕円形やその他の多角形などに適宜変更してもよい。
【００５３】
第１リード部３７ａ，３７ｂの第１方向変化部３７２ａ，３７２ｂを一対の第１係止部２２２と分離凸部２２３との間に係止させることにより、各第１リード部３７ａ，３７ｂが第１係止部３７２ａ，３７２ｂに弛みなく係止される。その結果、図８Ａに示す第１リード部３７ａ，３７ｂの中間に位置する中間ワイヤ３７で構成される中間コイル部３０３の巻き解しが防止される。その状態で、第１リード部３７ａ，３７ｂをコイル３００から遠ざかる方向に引き出すことが可能となる。すなわち、本実施形態では、図７Ｂに示すように、第１端子台２２には、側壁部２２１と一対の第１係止部２２２と分離凸部２２３とにより区画された（あるいは、挟まれた）通路が形成してあり、これらの通路を通して、第１リード部３７ａ，３７ｂをボビン２０から遠ざかる方向に引き出すことが可能となる。
【００５４】
また、図４に示すように、一対の第２係止部２３２では、第２立上部３８１ａ，３８１ｂでＺ軸方向に立ち上げられた第２リード部３８ａ，３８ｂが、第２方向変化部３８２ａ，３８２ｂの部分でＹ軸方向の内側から外側に巻き付けられ、第２引出本体部３８３ａ，３８３ｂとして相互間の隙間が大きくなった状態でＸ軸方向の外側に案内される。第２端子台２３には、第１端子台２２に設けられた分離凸部２２３と同様な部材は具備させる必要がない。
【００５５】
第２リード部３８ａ，３８ｂの第２方向変化部３８２ａ，３８２ｂを一対の第２係止部２３２に係止することにより、各第２リード部３８ａ，３８ｂが第２係止部２３２に弛みなく係止される。その結果、図８Ａに示す第２リード部３８ａ，３８ｂの中間に位置する共通ワイヤ３８で構成される第１コイル部３０１および第２コイル部３０２の巻き解しが防止された状態で、第２リード部３８ａ，３８ｂをコイル３００から遠ざかる方向に引き出すことが可能となる。すなわち、本実施形態では、図７Ａに示すように、第２端子台２３には、側壁部２３１と一対の第２係止部２３２とにより区画された（あるいは、挟まれた）通路が形成してあり、これらの通路を通して、第２リード部３８ａ，３８ｂをボビン２０から遠ざかる方向に引き出すことが可能となる。
【００５６】
図２に示すように、端子台２２，２３のＺ軸方向の上方には、引出ワイヤカバー６０が覆い被さるように装着される。より詳細には、引出ワイヤカバー６０のＹ軸方向両端の側面には、孔６１が形成してあり、この孔６１を端子台２２，２３に形成してある係合突起部２２４,２３４に係合させることにより、引出ワイヤカバー６０を端子台２２，２３に装着することができる。これにより、第１リード部３７ａ，３７ｂおよび第２リード部３８ａ，３８ｂが端子台２２，２３の上方に不要にはみ出すことを防止することができる。
【００５７】
磁性コア４０ａ，４０ｂは、本実施形態では、同じ形状であり、Ｚ−Ｙ断面で断面Ｅ字形状を有し、いわゆるＥ型コアを構成する。なお、磁性コア４０ａ，４０ｂの態様は図２に示す態様に限定されるものではなく、磁性コア４０ａ，４０ｂを図中一点鎖線（Ｙ軸方向の略中央位置）に沿ってＸＺ平面に平行に切断してなる分割コアであってもよい。
【００５８】
Ｚ軸方向の上側に配置される磁性コア４０ａは、Ｙ軸方向に延びるベース部４４ａと、ベース部４４ａのＹ軸方向の両端からＺ軸方向に突出している一対の側脚部４８ａと、これらの側脚部４８ａの間でＹ軸方向の中央からＺ軸方向に突出する中脚部４６ａとを有する。Ｚ軸方向の下側に配置される磁性コア４０ｂは、Ｙ軸方向に延びるベース部４４ｂと、ベース部４４ｂのＹ軸方向の両端からＺ軸方向に突出している一対の側脚部４８ｂと、これらの側脚部４８ｂの間でＹ軸方向の中央からＺ軸方向に突出する中脚部４６ｂとを有する。
【００５９】
中脚部４６ａは、ボビン２０のコア脚用貫通孔２１ａの内部にＺ軸方向の上方から挿入されるようになっている。同様に、中脚部４６ｂは、ボビン２０のコア脚用貫通孔２１ａの内部にＺ軸方向の下方から挿入され、コア脚用貫通孔２１ａの内部において、それらの先端は、所定のギャップＧ（図５および図６Ａ参照）を挟んで向き合うように構成してある。
【００６０】
このように、ギャップＧを形成することにより、ギャップＧの幅に応じてリーケージ特性を調整することができる。なお、ギャップＧを形成することなく、中脚部４６ｂの先端が、コア脚用貫通孔２１ａの内部において、中脚部４６ａの先端に接触するように構成してもよい。
【００６１】
中脚部４６ａおよび中脚部４６ｂは、コア脚用貫通孔２１ａの内周面形状に一致するように、略楕円柱形状を有しているが、その形状は、特に限定されず、コア脚用貫通孔２１ａの形状に合わせて変化させても良い。また、側脚部４８ａ，４８ｂは、ボビン本体２１の外周面形状に合わせた内側凹曲面形状を有し、その外面は、Ｘ−Ｚ平面に平行な平面を有している。本実施形態では、各コア４０ａ，４０ｂの材質は、金属、フェライト等の軟磁性材料が挙げられるが、特に限定されない。
【００６２】
側脚部４８ａ，４８ｂの内周面とボビン本体２１の外周面との間には、それぞれカバー５０が配置してある。カバー５０のカバー本体５２は、ボビン２０における端子台２２および２３の間に位置するボビン本体２１の外周を覆うような形状を有する。カバー本体５２のＺ軸方向の両端には、カバー本体５２からボビン本体２１に向けて略垂直方向に折り曲げられている係止片５４が一体成形してある。カバー本体５２のＺ軸方向の両側に形成してある一対の係止片５４は、図４に示すように、ボビン本体２１のＺ軸方向の上下面を挟み込むように取り付けられる。
【００６３】
また、カバー本体５２のＸ軸方向の両端外面には、それぞれＺ軸方向に延びる側脚ガイド片５６が一体に成形してある。一対の側脚ガイド片５６の間に位置するカバー本体５２の外面には、側脚部４８ａ，４８ｂの内面が接触し、側脚部４８ａ，４８ｂのＸ軸方向の移動が、一対の側脚ガイド片５６により制限されるようになっている。これらのカバー５０は、ボビン２０と同様なプラスチックなどの絶縁部材あるいは金属で構成してある。
【００６４】
図５に示すように、ボビン２０のボビン本体２１を構成する巻回筒部２８のＺ軸方向の両端には、端部隔壁鍔２４および２５が半径方向の外方に延びるように、ＸＹ平面に略平行に一体成形してある。端部隔壁鍔２４および２５のＺ軸方向の間に位置する巻回筒部２８の外周面には、巻回隔壁鍔２６および２７が径方向外方に突出するように、Ｚ軸方向に所定間隔で形成してある。これらの端部隔壁鍔２４および２５の間に形成された巻回隔壁鍔２６および２７により、これらの隔壁鍔の間には、Ｚ軸方向の下から順に、区画Ｓ１〜Ｓ３が形成される。なお、巻回隔壁鍔２６，２７および区画Ｓ１〜Ｓ３の数は、特に限定されない。
【００６５】
本実施形態では、区画Ｓ１，Ｓ３には、共通ワイヤ３８が連続して６ターンずつ巻回されて、第１コイル部３０１および第２コイル部３０２が構成され、区画Ｓ２には中間ワイヤ３７が１ターンで巻回され、第３コイル部３０３が構成される。本実施形態では、巻回隔壁鍔２６が、第１コイル部３０１と中間コイル部３０３とをＺ軸方向に仕切る役割を果たし、巻回隔壁鍔２７が、第２コイル部３０２と中間コイル部３０３とをＺ軸方向に仕切る役割を果たす。
【００６６】
図５に示すように、第１コイル部３０１を構成する共通ワイヤ３８が巻回される区画Ｓ１，Ｓ３におけるＺ軸に沿っての区画幅Ｔ１は、Ｚ軸方向に１本の共通ワイヤ３８が入り込める幅に設定してある。ただし、区画幅Ｔ１は、Ｚ軸方向に２本以上の共通ワイヤ３８が入り込める幅に設定してもよい。また、本実施形態では、区画幅Ｔ１は、全て同じであることが好ましいが、多少異なっていても良い。
【００６７】
また、中間コイル部３０３を構成する中間ワイヤ３７が巻回される区画Ｓ２におけるＺ軸に沿っての区画幅Ｔ２は、Ｚ軸方向に１本の中間ワイヤ３７が入り込める幅に設定してある。ただし、区画幅Ｔ２は、Ｚ軸方向に２本以上の中間ワイヤ３７が入り込める幅に設定してもよい。また、本実施形態では、区画Ｓ２におけるＺ軸に沿っての区画幅Ｔ２は、共通ワイヤ３８の線径に合わせて、区画幅Ｔ１と異なっていることが好ましいが、同じであってもよい。
【００６８】
また、隔壁鍔２４〜２７の高さ（巻軸に対して半径方向の長さ）Ｈ１は、１本以上（１層以上）のワイヤ３７または３８が入り込める高さに設定してあり、本実施形態では、好ましくは３〜８層のワイヤが巻回できる高さに設定してある。各隔壁鍔２４〜２７の高さＨ１は、全て同じであることが好ましいが、異なっていても良い。
【００６９】
本実施形態では、区画Ｓ１およびＳ３に巻回される共通ワイヤ３８の巻回方法はα巻であり、図９に示すコイル間接続部３８０から、図５に示す各区画Ｓ１およびＳ３に共通ワイヤ３８が通されて巻始められ、図８Ａに示す各リード部３８ａ，３８ｂに引き出される。図５に示す区画Ｓ２に巻回される中間ワイヤ３７の巻回方法は、特に限定されず、通常巻きでもα巻きでもよい。
【００７０】
ここで、α巻きについて説明する。たとえば図６Ａおよび図６Ｂに示すボビン２０に、共通ワイヤ３８をα巻きするには、まず、巻回隔壁鍔２６および２７の周方向一部が切り欠かれている部分に、共通ワイヤ３８のコイル間接続部３８０を通して、図５に示す区画Ｓ１と区画Ｓ３とを連絡する。そして、リード部３８ａに近い側の共通ワイヤ３８の一部は、区画Ｓ３の内部で、たとえば右回りに巻回筒部２８の外周に複数層（本実施形態では、６層）で巻回する。同時に、リード部３８ｂに近い側の共通ワイヤ３８の他の一部は、区画Ｓ１の内部で、区画Ｓ１における巻き方とは逆の方向（または同一方向でもよい）に、巻回筒部２８の外周に複数層で巻回する。なお、これらの作業は、自動巻機を用いて行っても良い。
【００７１】
図５に示す区画Ｓ２に巻回される中間ワイヤ３７は、図６Ａに示すように、巻回隔壁鍔２６および２７の周方向一部が切り欠かれている部分に、共通ワイヤ３８のコイル間接続部３８０を配置した後、第１絶縁カバー８１が装着され、その後に、図５に示すように、巻回隔壁鍔２６および２７の間で一巻き以上に巻回される。
【００７２】
図６Ａおよび図７Ａに示すように、Ｚ軸方向の最下部に位置する端部隔壁鍔２５のＸ軸方向の両端には、それぞれボビン脚部２９が一体に成形してある。各ボビン脚部２９は、端部隔壁鍔２５のＸ軸方向の両端から、Ｚ軸方向の下方に突出して形成してある。各ボビン脚部２９には、図２に示す各台座７０が収容される。各台座７０のＺ軸方向の高さは、各台座７０を各ボビン脚部２９に収容したときに、各台座７０の底面がコア部材４０ｂの底面と略面一となるように調整してある。すなわち、台座７０は高さ調整機構としての機能も有する。
【００７３】
図７Ａに示すように、巻回隔壁鍔２６，２７の第２端子台２３側には、図７Ｃに示す第１絶縁カバー８１のＹ軸方向幅よりも狭い幅で、切欠部２６４，２７４が形成してある。また、巻回隔壁鍔２６のＺ軸方向の下側表面には、切欠部２６４が形成されている周方向位置で、Ｚ軸方向に貫通しないザグリ面２６１が形成してある。また、巻回隔壁鍔２７のＺ軸方向の上側表面には、切欠部２７４が形成されている周方向位置で、Ｚ軸方向に貫通しないザグリ面２７１が形成してある。
【００７４】
ザグリ面２６１および２７１に沿って、図７Ｃに示す第１絶縁カバー８１が巻回隔壁鍔２６および２７の間に取り付けられ、切欠部２６４，２７４を閉じるようになっている。図７Ｃに示すように、第１絶縁カバー８１は、コイル間接続部３８０を中間コイル部３０３から絶縁するためのものである。なお、図７Ａに示すように、ザグリ面２７１には、リード係止溝２７２が形成してある。リード係止溝２７２は、第２リード部３８ｂの第２立上部３８１ｂの基端が係止し、第２立上部３８１ｂを形成しやすくしている。
【００７５】
図７Ｃに示すように、第１絶縁カバー８１は、円筒の一部を構成する中間部分筒８１３と、そのＺ軸方向の両端にＸ−Ｙ軸平面で平行に形成してある部分鍔８１１および８１２とを有する。中間部分筒８１３は、中間コイル部３０３を構成する中間ワイヤ３７の周方向一部が巻回される。図６Ａに示すように、中間部分筒８１３の内周面は、コイル間接続部３８０を挟んで、ボビン２０の巻回筒部２８の外周面と対向する。
【００７６】
第１絶縁カバー８１は、一方の部分鍔８１１が巻回隔壁部２６のザグリ面２６１に当接し、他方の部分鍔８１２が巻回隔壁部２７のザグリ面２７１に当接して、スライド挿入可能に、ボビン２０に固定される。図９に示すように、本実施形態では、コイル間接続部３８０は、中間コイル部３０３の内側を通過するが、図７Ｃに示すように、コイル間接続部３８０と中間コイル部３０３とが中間部分筒８１３を介して絶縁される。
【００７７】
図６Ａに示すように、端部隔壁鍔２４および巻回隔壁鍔２６の第１端子台２２側には、図７Ｄに示す第２絶縁カバー８２が取り付けられるように、切欠部２４４，２６４が形成してある。図８Ｂに示すように、第２絶縁カバー８２は、第１リード部３７ａ，３７ｂの第１立上部３７１ａ，３７１ｂと第１方向変化部３７２ａ，３７２ｂとを、第１コイル部３０１（第２ワイヤである共通ワイヤ３８）から絶縁するためのものである。
【００７８】
図７Ｄに示すように、第２絶縁カバー８２は、そのＺ軸方向の両端にＸ−Ｙ軸平面で平行に形成してある部分鍔８２１および８２２と、壁部８２３と、一対の側部８２４とを有する。側部８２４のＹ軸方向の外面には、それぞれ凸部８２５が形成してある。図６Ａに示すように、第２絶縁カバー８２は、一方の部分鍔８２１を端部隔壁部２４に形成してある溝部にはめ込み、他方の部分鍔８２２を巻回隔壁部２６のザグリ面に当接させてスライド挿入することにより、ボビン２０に固定される。
【００７９】
その際に、図７Ｂに示すように、第２絶縁カバー８２に形成してある凸部８２５が、巻回隔壁鍔２６のＹ軸方向端部と端部隔壁部２４のＹ軸方向端部（側壁部２２１の下端）との間に係合し、第２絶縁カバー８２がボビン２０に安定して固定される。図８Ｂおよび図８Ｃに示すように、第１リード部３７ａ，３７ｂの第１立上部３７１ａ，３７１ｂと、第１コイル部３０１とが、第２絶縁カバー８２を介して良好に絶縁される。なお、図７Ｂに示すように、巻回隔壁鍔２７が、Ｘ軸方向の外側（ボビン２０の巻回軸から離れる方向）に張り出している張り出し部を有するため、図８Ｂおよび図８Ｃに示す中間ワイヤ３７およびその第１リード部３７ａおよび３７ｂと、第２コイル部３０２との絶縁も良好に保たれている。
【００８０】
これらの絶縁カバー８１，８２は、ボビン２０と同様または異なるプラスチックなどの絶縁部材で構成してある。絶縁カバー８１，８２は、ボビン２０とは別に成形されて、ボビン２０の周方向の一部に取り付けられる。
【００８１】
本実施形態に係るトランス１０は、図２に示す各部材を組み立てると共に、ボビン２０に中間ワイヤ３７および共通ワイヤ３８を巻回することによって製造される。以下に、トランス１０の製造方法の一例を、図２などを用いて説明する。トランス１０の作製においては、まず、ボビン２０を準備する。ボビン２０の材質は特に限定されないが、ボビン２０は、樹脂等の絶縁材料によって形成される。
【００８２】
次に、ボビン２０の巻回筒部２８の外周に共通ワイヤ３８をα巻により巻回し、第１コイル部３０１および第２コイル部３０２を形成する。第１コイル部３０１および第２コイル部３０２の形成に使用される共通ワイヤ３８としては、特に限定されないが、リッツ線等が好適に使用される。また、第１コイル部３０１および第２コイル部３０２を形成する際の共通ワイヤ３８の末端部である第２リード部３８ａ，３８ｂは、たとえば端子９４にハンダ付けされて接続される。
【００８３】
次に、共通ワイヤ３８が巻回されたボビン２０に第１絶縁カバー８１および第２絶縁カバー８２を装着する。なお、第２絶縁カバー８２は、後でボビン２０に装着してもよく、ボビン２０には、少なくとも第１絶縁カバー８１が取り付けられればよい。
【００８４】
次に、ボビン２０の巻回筒部２８の外周に中間ワイヤ３７を巻回し、中間コイル部３０３を形成する。中間コイル部３０３の形成に使用される中間ワイヤ３８としては、共通ワイヤ３８と同じでもよいし、異なっていてもよい。また、中間コイル部３０３を形成する際の中間ワイヤ３７の末端部である第１リード部３７ａ，３７ｂは、たとえば端子９４にハンダ付けされて接続される。
【００８５】
次に、中間コイル部３０３から第１リード部３７ａ，３７ｂを巻回軸上方に引き出し、第１係止部２２２に係止させつつ、コイル３００から遠ざかる方向に引き出す。その際には、予めボビン２０には、第２絶縁カバー８２が取り付けられている。
【００８６】
また、第１コイル部３０１および第２コイル部３０２から第２リード部３８ａ，３８ｂを巻回軸上方に引き出し、係止部２２２，２３２に係止させつつ、コイル３００から遠ざかる方向に引き出す。そして、端子台２２，２３の上方に、引出ワイヤカバー６０を装着する。
【００８７】
次に、カバー５０をボビン２０におけるＹ軸方向の両側に取り付け、その後に、Ｚ軸方向の上下方向から磁性コア４０ａ，４０ｂを取り付ける。すなわち、磁性コア４０ａ，４０ｂの中脚４６ａ，４６ｂの先端同士の間にギャップＧを持たせつつ、側脚４８ａ，４８ｂの先端同士を接合する。磁性コア４０ａ，４０ｂの材質としては、金属、フェライト等の軟磁性材料が挙げられるが、特に限定されない。なお、ギャップＧは０であっても良い。
【００８８】
次に、台座７０をボビン脚部２９の内部に収容する。なお、ボビン脚部２９には、予め台座７０が装着してあってもよい。その後、底板９２をケース９０の底部開口部に接着し、上部が開放してあるケース９０に上記組立体を収納するとともに、ケース９０の内部に放熱用樹脂を充填する。以上のような工程により、本実施形態に係るトランス１０を製造することができる。
【００８９】
本実施形態に係るトランス１０では、中間コイル部３０３を、第１コイル部３０１と第２コイル部３０２とで挟む構造（サンドイッチ構造）である。そのため、これらのコイル部間の結合を高くすることができ、リーケージ特性の安定化を図ることが容易となる。また、高周波帯においても、安定したリーケージ特性を得ることができる高結合なトランス１０を実現することができる。
【００９０】
また、第１コイル部３０１と第２コイル部３０２とは、共通ワイヤ３８で連続して形成してある。このような構成とすることにより、第１コイル部３０１および第２コイル部３０２のいずれか一方に、電流が偏って流れることが防止できる。電流が偏って流れることが防止されるため、いずれか一方のコイル部３０１または３０２が異常発熱することを防止することができる。また、第１コイル部３０１および第２コイル部３０２を別々のワイヤで構成する場合に比較して、第１コイル部３０１および第２コイル部３０２を構成する共通ワイヤ３８のワイヤ長を短くすることが可能になり、銅損を小さくすることができる。銅損を小さくできれば、効率が向上し、発熱も低減することができる。
【００９１】
また、本実施形態では、一次コイルと二次コイルとの結合係数が高いため、一次コイルの巻き数と二次コイルの巻き数とが大きく異なる場合であっても、リーケージ特性の安定化を図ることが容易である。すなわち、本実施形態によれば、第１コイル部３０１および第２コイル部３０２における共通ワイヤ３８の巻数と、中間コイル部３０３における中間ワイヤ３７の巻数との巻数比が大きい場合でも効果が大きい。具体的には共通ワイヤ３８の合計巻数ｎ１と中間ワイヤ３７の巻数ｎ２との巻数比ｎ１／ｎ２が、２以上、３以上、５以上の場合でも、より顕著な効果が得られる。
【００９２】
また、本実施形態では、共通ワイヤ３８は、ボビン２０にα巻きされている。このような構成とすることで、単一の共通ワイヤ３８を用いて、巻回軸方向に離れて配置される第１コイル部３０１と第２コイル部３０２とを容易に形成することができる。また、第１コイル部３０１と第２コイル部３０２とでコイルの巻き数を同じにすることも容易であり、また、巻き数を変化させることも容易である。
【００９３】
さらに、図５に示すように、各第１コイル部３０１および第２コイル部３０２において、巻回軸方向に沿って単一のワイヤ３８のみが存在するようにボビン２０の鍔部２４〜２７の間隔Ｔ１およびＴ２を調整することで、一層当たりのワイヤ３７および３８の巻回数のバラツキを防止することが容易になり、リーケージ特性の安定化に寄与する。すなわち、一次コイルと二次コイルとの結合係数を厳密に制御することが容易になる。
【００９４】
また、α巻きは、巻数を増大させても、巻軸方向の層数を少なくすることができるために、コイル装置１０の低背化、小型化に寄与する。さらにα巻きにすることで巻線中心部からのワイヤ引き出しがなくなるため、ワイヤが重ならないことからコイル装置１０の低背化に寄与する。
【００９５】
特に本実施形態では、図８Ａに示すように、一対の第１リード部３７ａ，３７ｂは、第１立上部３７１ａ，３７１ｂでＺ軸に沿って中間コイル部３０３から引き出された後、第１方向変化部３７２ａ，３７２ｂで一対の第１リード部３７ａ，３７ｂ同士の間隔が狭まる方向に曲げられ、その後に、第１引出本体部３７３ａ，３７３ｂでコイル３００から遠ざけられる。
【００９６】
すなわち、本実施形態に係るコイル装置１０では、一対の第１引出本体部３７３ａ，３７３ｂの隙間間隔Ｗ１は、一対の第１立上部３７１ａ，３７１ｂの隙間間隔よりも狭くなる。そのため、一対の第１リード部３７ａ，３７ｂは、離間した状態で中間コイル部３０３から引き出され、Ｚ軸に沿って立ち上がった後で近接することになる。本発明者等は、このような引出構造とすることで、従来のコイル装置に比べて、リーケージ特性が安定したコイル装置を実現することができることを見出した。
【００９７】
本発明者等の実験によれば、一対の第１リード部３７ａ，３７ｂの引出構造を変えるのみで、従来のコイル装置に比べて、リーケージを３／４以下にできることが明らかになった。特に、一次コイルと二次コイルとの巻き数の比が大きい場合に特に効果があることが確認された。
【００９８】
また本実施形態では、第１立上部３７１ａ，３７１ｂの立上げ方向と、第２立上部３８１ａ，３８１ｂの立上げ方向とが同じ方向（Ｚ軸方向の上方向）である。そのため、図２に示すように、第２端子台２３は、第１端子台２２に対して、Ｚ軸の同じ上側に位置する。このように構成することで、第１端子台２２および第２端子台２３とＺ軸に沿って反対側に位置するボビン２０の底面を冷却側に位置させることが容易になり、図５に示すコイル３００、ボビン２０およびコア４０ａ，４０ｂの冷却効率が向上する。
【００９９】
さらに上述した実施形態では、図８Ａに示すように、一対の第２リード部３８ａ，３８ｂは、一対の第１リード部３７ａ，３７ｂとは異なり、第２立上部３８１ａ，３８１ｂの間の距離よりも広い距離Ｗ２を保ちながら、コイル３００から遠ざかる方向に第２引出本体部３８３ａ，３８３ｂとして延びている。第２リード部３８ａ，３８ｂに印加される電圧が高い場合などには、このような構造であることが好ましい。しかしながら、一対の第２リード部３８ａ，３８ｂは、一対の第１リード部３７ａ，３７ｂと同様に、第２立上部３８１ａ，３８１ｂの間の距離よりも狭い距離を保ちながら、コイル３００から遠ざかる方向に第２引出本体部３８３ａ，３８３ｂとして延びていてもよい。
【０１００】
なお、本発明は、上述した実施形態に限定されるものではなく、本発明の範囲内で種々に改変することができる。
【０１０１】
たとえばボビン２０の外周にコイル３００を装着する他の態様としては、最初に中間ワイヤ３７をボビン２０に巻回して、中間コイル部３０３を構成し、次いで共通ワイヤ３８をボビン２０に巻回して、第１コイル部３０１および第２コイル部３０２を構成する態様も考えられる。このような態様でコイル３００をボビン２０に装着した場合、コイル間接続部３８０は、中間コイル部３０３の外側を通過することになる。
【０１０２】
また、上述した一次コイルと二次コイルの関係は逆にしてもよい。すなわち、共通ワイヤ３８が二次コイルを構成し、中間ワイヤ３７は、一次コイルを構成してもよい。また、その場合には、各ワイヤの外径の大小関係は、上述した例と逆であってもよい。あるいは、これらのワイヤの外径は、同じであってもよい。
【符号の説明】
【０１０３】
１０…トランス
２０…ボビン
２１…ボビン本体
２１ａ…コア脚用貫通孔
２２…第１端子台
２３…第２端子台
２２１，２３１…側壁部
２２２…第１係止部
２３２…第２係止部
２２３…分離凸部
２２４，２３４…係合突起部
２４，２５…端部隔壁鍔
２４４…切欠部
２６，２７…巻回隔壁鍔
２６１，２７１…ザグリ面
２７２…リード係止溝
２６４，２７４…切欠部
２８…巻回筒部
２９…ボビン脚部
３００…コイル部
３０１…第１コイル部
３０２…第２コイル部
３０３…中間コイル部
３７…中間ワイヤ
３７ａ，３７ｂ…第１リード部
３７１ａ，３７１ｂ…第１立上部
３７２ａ，３７２ｂ…第１方向変化部
３７３ａ，３７３ｂ…第１引出本体部
３８…共通ワイヤ
３８ａ，３８ｂ…第２リード部
３８１ａ，３８１ｂ…第２立上部
３８２ａ，３８２ｂ…第２方向変化部
３８３ａ，３８３ｂ…第２引出本体部
３８０…コイル間接続部
４０ａ，４０ｂ…磁性コア
４４ａ，４４ｂ…ベース部
４６ａ，４６ｂ…中脚部
４８ａ，４８ｂ…側脚部
５０…カバー
５２…カバー本体部
５４…係止片
５６…側脚ガイド片
６０…引出ワイヤカバー
７０…台座
８１…第１絶縁カバー
８１１，８１２…部分鍔
８１３…中間部分筒
８２…第２絶縁カバー
８２１，８２２…部分鍔
８２３…壁部
８２４…側部
８２５…凸部
９０…ケース
９１…ボス部
９２…底板
９４…端子
【図１】
2018101749.tif 000003
【図２】
2018101749.tif 000004
【図３】
2018101749.tif 000005
【図４】
2018101749.tif 000006
【図５】
2018101749.tif 000007
【図６Ａ】
2018101749.tif 000008
【図６Ｂ】
2018101749.tif 000009
【図７Ａ】
2018101749.tif 000010
【図７Ｂ】
2018101749.tif 000011
【図７Ｃ】
2018101749.tif 000012
【図７Ｄ】
2018101749.tif 000013
【図８Ａ】
2018101749.tif 000014
【図８Ｂ】
2018101749.tif 000015
【図８Ｃ】
2018101749.tif 000016
【図９】
2018101749.tif 000017
【図１０】
2018101749.tif 000018
【図１１】
2018101749.tif 000019